【手続補正書】
【提出日】平成20年6月10日(2008.6.10)
【手続補正１】
【補正対象書類名】特許請求の範囲
【補正対象項目名】請求項１
【補正方法】変更
【補正の内容】
【請求項１】
電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置の温度制御方法であって、
前記各駆動ＩＣの電力消費による発熱温度を検出して駆動ＩＣの温度情報を生成し、
前記温度情報と、予め作成して保存されたルックアップテーブルにて、前記表示パネルの上部領域に対応した駆動ＩＣほどその発熱温度の検出データが大きくなるように重み付けした位置情報を加味した温度情報とを比較して前記発光素子への供給電流を制御する、
ことを特徴とする表示装置の温度制御方法。
【手続補正２】
【補正対象書類名】特許請求の範囲
【補正対象項目名】請求項２
【補正方法】変更
【補正の内容】
【請求項２】
電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置の温度制御方法であって、
前記表示パネルの上部領域に対応した駆動ＩＣほど電力消費による発熱温度の検出データが大きくなるように重み付けして駆動ＩＣの位置情報を加味した温度情報を生成し、
前記重み付けして生成した位置情報を加味した温度情報と、予め作成して保存されたルックアップテーブルの温度情報とを比較して前記発光素子への供給電流を制御する、
ことを特徴とする表示装置の温度制御方法。
【手続補正３】
【補正対象書類名】特許請求の範囲
【補正対象項目名】請求項５
【補正方法】変更
【補正の内容】
【請求項５】
電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置であって、
前記各駆動ＩＣの電力消費による発熱温度を検出して温度情報を生成する検出手段と、
前記検出手段からの温度情報と、予め作成して保存されたルックアップテーブルにて、前記表示パネルの上部領域に対応した駆動ＩＣほどその発熱温度の検出データが大きくなるように重み付けした位置情報を加味した温度情報とを比較して前記発光素子への供給電流を制御する画像処理回路と、
を備えたことを特徴とする表示装置。
【手続補正４】
【補正対象書類名】特許請求の範囲
【補正対象項目名】請求項６
【補正方法】変更
【補正の内容】
【請求項６】
電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置であって、
前記表示パネルの上部領域に対応した駆動ＩＣほど電力消費による発熱温度の検出データが大きくなるように重み付けして位置情報を加味した温度情報を生成する検出手段と、
前記検出手段からの重み付けして生成した位置情報を加味した温度情報と、予め作成して保存されたルックアップテーブルの温度情報とを比較して前記発光素子への供給電流を制御する画像処理回路と、
を備えたことを特徴とする表示装置。
【手続補正５】
【補正対象書類名】明細書
【補正対象項目名】０００１
【補正方法】変更
【補正の内容】
【０００１】
本発明は、表示パネル上に電流値によって輝度が制御される複数の発光素子がマトリクス状に配置された表示装置に関し、詳しくは、表示パネルの温度制御を簡単な構成で効率よく行なおうとする表示装置の温度制御方法及び表示装置に係るものである。
【手続補正６】
【補正対象書類名】明細書
【補正対象項目名】０００２
【補正方法】変更
【補正の内容】
【０００２】
一般的に、表示パネル上に電流値によって輝度が制御される複数の発光素子をマトリクス状に配置した表示装置においては、高輝度を得るためには発光素子に供給する電流値を上げる必要がある。しかし、電流値が増加すると発光素子が発熱して発光素子の寿命が短くなる。
【手続補正７】
【補正対象書類名】明細書
【補正対象項目名】０００５
【補正方法】変更
【補正の内容】
【０００５】
また、他の表示装置は、マトリクス状に配置された発光素子としての複数の有機エレクトロルミネッセンス素子（以下「有機ＥＬ素子」という）に対応して温度検出器を設け、各温度検出器による温度検出データに基づいて有機ＥＬ素子の発光制御が行なわれるようになっている（例えば、特許文献２参照）。
【手続補正８】
【補正対象書類名】明細書
【補正対象項目名】０００７
【補正方法】変更
【補正の内容】
【０００７】
また、上記特許文献２に記載の表示装置は、複数の有機ＥＬ素子に対応して温度検出器を設けたものであったので、有機ＥＬ素子の温度上昇を直ちに検出して適切に制御することができるものの、構成が複雑となって表示装置のコストが高くなるというおそれがあった。
【手続補正９】
【補正対象書類名】明細書
【補正対象項目名】０００９
【補正方法】変更
【補正の内容】
【０００９】
上記目的を達成するために、第１の発明による表示装置の温度制御方法は、電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置の温度制御方法であって、  前記各駆動ＩＣの電力消費による発熱温度を検出して駆動ＩＣの温度情報を生成し、前記温度情報と、予め作成して保存されたルックアップテーブルにて、前記表示パネルの上部領域に対応した駆動ＩＣほどその発熱温度の検出データが大きくなるように重み付けした位置情報を加味した温度情報とを比較して前記発光素子への供給電流を制御するものである。
【手続補正１０】
【補正対象書類名】明細書
【補正対象項目名】００１１
【補正方法】変更
【補正の内容】
【００１１】
また、第２の発明による表示装置の温度制御方法は、電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置の温度制御方法であって、前記表示パネルの上部領域に対応した駆動ＩＣほど電力消費による発熱温度の検出データが大きくなるように重み付けして駆動ＩＣの位置情報を加味した温度情報を生成し、前記重み付けして生成した位置情報を加味した温度情報と、予め作成して保存されたルックアップテーブルの温度情報とを比較して前記発光素子への供給電流を制御するものである。
【手続補正１１】
【補正対象書類名】明細書
【補正対象項目名】００１３
【補正方法】変更
【補正の内容】
【００１３】
また、第３の発明による表示装置は、電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置であって、前記各駆動ＩＣの電力消費による発熱温度を検出して温度情報を生成する検出手段と、前記検出手段からの温度情報と、予め作成して保存されたルックアップテーブルにて、前記表示パネルの上部領域に対応した駆動ＩＣほどその発熱温度の検出データが大きくなるように重み付けした位置情報を加味した温度情報とを比較して前記発光素子への供給電流を制御する画像処理回路と、を備えたものである。
【手続補正１２】
【補正対象書類名】明細書
【補正対象項目名】００１５
【補正方法】変更
【補正の内容】
【００１５】
また、第４の発明による表示装置は、電流値によって輝度が制御される複数の発光素子がマトリクス状に配置された表示パネルと、該表示パネルが水平方向に複数領域に分割された各領域に対応してそれぞれ一つ設けられ、各領域内の発光素子を電流駆動する駆動ＩＣとを備えた表示装置であって、前記表示パネルの上部領域に対応した駆動ＩＣほど電力消費による発熱温度の検出データが大きくなるように重み付けして位置情報を加味した温度情報を生成する検出手段と、前記検出手段からの重み付けして生成した位置情報を加味した温度情報と、予め作成して保存されたルックアップテーブルの温度情報とを比較して前記発光素子への供給電流を制御する画像処理回路と、を備えたものである。
【手続補正１３】
【補正対象書類名】明細書
【補正対象項目名】００２８
【補正方法】変更
【補正の内容】
【００２８】
以下、本発明の実施形態を添付図面に基づいて詳細に説明する。図１は本発明による表示装置の第１の実施形態を示すブロック図である。この表示装置は、電流値によって輝度が制御される複数の発光素子をマトリクス状に配置したもので、表示パネル１と、データドライバＩＣ２と、ゲートドライバＩＣ３と、温度検出手段４と、画像処理回路５とからなる。なお、以下の説明においては、発光素子が有機ＥＬ素子である場合について述べる。
【手続補正１４】
【補正対象書類名】明細書
【補正対象項目名】００２９
【補正方法】変更
【補正の内容】
【００２９】
上記表示パネル１は、有機ＥＬ素子をｍ×ｎのマトリクス状に配置したものであり、この複数の有機ＥＬ素子から１行分の有機ＥＬ素子を選択するための２種の走査線ＷＳ１，ＷＳ２…ＷＳｎ，ＤＳ１，ＤＳ２…ＤＳｎと画像データ信号を供給するための信号線Ｓ１，Ｓ２…Ｓｍとが交差する部分に画素回路６が配設されている。この画素回路６は、図２に示すように、画像データ信号を保持する保持容量Ｃｓと上記２種の走査線のうち走査線ＷＳ１〜ＷＳｎによって駆動され画像データ信号を上記保持容量Ｃｓに保持させるＮ−ＭＯＳ型の書込みトランジスタ７と、有機ＥＬ素子８を駆動するＮ−ＭＯＳ型の画素トランジスタ９とを有して構成されており、図３に示すように、書込みトランジスタ７、画素トランジスタ９等が形成されたガラス基板２１上に絶縁膜２２及びウインド絶縁膜２３が形成され、該ウインド絶縁膜２３の凹部２４に有機ＥＬ素子８が設けられた構成となっている。
【手続補正１５】
【補正対象書類名】明細書
【補正対象項目名】００３０
【補正方法】変更
【補正の内容】
【００３０】
上記有機ＥＬ素子８は、上記ウインド絶縁膜２３の凹部２４の底部に形成された金属等からなるアノード電極２５と、該アノード電極２５上に形成された有機層（電子輸送層及び電子注入層、発光層、ホール輸送層及びホール注入層）２６と、該有機層２６上に全画素共通に形成された透明導電膜等からなるカソード電極２７とから構成されている。
【手続補正１６】
【補正対象書類名】明細書
【補正対象項目名】００３１
【補正方法】変更
【補正の内容】
【００３１】
この有機ＥＬ素子８において、有機層２６は、アノード電極２５上にホール輸送層及びホール注入層、発光層、電子輸送層及び電子注入層が順次堆積されることによって形成される。そして、図３に示す画素トランジスタ９からアノード電極２５を通して有機層２６に電流が流れることで、該有機層２６内の発光層において電子と正孔が再結合する際に発光するようになっている。
【手続補正１７】
【補正対象書類名】図面
【補正対象項目名】図３
【補正方法】変更
【補正の内容】
【図３】
2008152088.tif 000001